(57)【要約】【課題】不測の事態にも柔軟に対処することが可能なセキュリティシステムを提供すること。【解決手段】セキュリティ装置３の側での通常モードでは、電気的なキー認証により正規の電子キー２が利用されたものと肯定判断され、且つ生体認証により被験者が正規ユーザであると肯定判断され、それらのＡＮＤ条件が成立したとき、エンジンの始動が許可される。そして、電子キー２の生体認証解除スイッチ２６が操作されたとき、セキュリティ装置３が通常モードからゲストモードへ遷移される。そして、セキュリティ装置３の側でのゲストモードでは、電気的なキー認証により正規の電子キー２が利用されたものと肯定判断され、その単独条件が成立したとき、エンジンの始動が許可される。つまり、電子キー２の生体認証解除スイッチ２６は、生体認証の機能を解除するために操作されるものである。【選択図】図１
2011058334.tif 000002
【特許請求の範囲】
【請求項１】
ユーザ認証により正規ユーザであると肯定判断された場合に制御対象の作動が許可されるセキュリティシステムにおいて、
正規ユーザによって所持され、無線電波を用いた電気的なキー認証に供される電子キーに、前記ユーザ認証の機能を解除するために操作されるユーザ認証解除用操作手段を設けた
ことを特徴とするセキュリティシステム。
【請求項２】
ユーザ認証の機能が解除されていないモードである通常モードでは、電気的なキー認証により正規の電子キーが利用されたものと肯定判断され、且つユーザ認証により正規ユーザであると肯定判断され、それらのＡＮＤ条件が成立するか、或いは、ユーザ認証により正規ユーザであると肯定判断され、その単独条件が成立したとき、制御対象の作動が許可される一方、
ユーザ認証の機能が解除されているモードであるゲストモードでは、電気的なキー認証により正規の電子キーが利用されたものと肯定判断され、その単独条件が成立したとき、制御対象の作動が許可される
請求項１に記載のセキュリティシステム。
【請求項３】
前記ユーザ認証解除用操作手段は、前記電子キーに備え付けられた既存操作手段であり、この既存操作手段が、本来の使用目的で操作されるときの通常操作とは異なる態様で特殊操作されたとき、当該電子キーは、ユーザ認証の機能が解除されるユーザ認証解除モードへ遷移される
請求項１又は請求項２に記載のセキュリティシステム。
【請求項４】
前記電子キーは、通信相手先である通信装置との間での該電子キーを送信側とする単方向通信、及び通信相手先である通信装置から送信されてくる第１の通信信号に応答して第２の通信信号を送信する該通信装置との間での双方向通信の少なくとも一方の通信が可能であり、
同電子キーは、前記ユーザ認証解除用操作手段が操作されたとき、ユーザ認証の機能が解除されるユーザ認証解除モードへ遷移され、
前記電子キーが前記ユーザ認証解除モードへ遷移されている状態で前記通信装置との間で該電子キーを送信側とする単方向通信が行われる場合、その単方向通信による該通信装置への送信信号に、当該電子キーがユーザ認証解除モードへ遷移されていることを示すモード状態コードを付加し、
前記電子キーが前記ユーザ認証解除モードへ遷移されている状態で該電子キーが前記通信装置から第１の通信信号を受信した場合、当該電子キーがユーザ認証解除モードへ遷移されていることを示すモード状態コードを前記第２の通信信号に付加して送信する
請求項１〜請求項３のいずれか一項に記載のセキュリティシステム。
【請求項５】
前記ユーザ認証は、認証を受ける者である被験者の生体情報を生体情報検出手段で検出し、その検出データを正規ユーザの生体情報データである基準データと照合し、両データが一致したとき、被験者が正規ユーザであると判定する生体認証である
請求項１〜請求項４のいずれか一項に記載のセキュリティシステム。
【発明の詳細な説明】
【技術分野】
【０００１】
本発明は、ユーザ認証により正規ユーザであると肯定判断された場合に制御対象の作動が許可されるセキュリティシステムに関する。
【背景技術】
【０００２】
特許文献１には、指紋等の個人差による生体認証を利用することで車両ユーザであるか否かを判定するとともに、それにより車両ユーザと認められた者に対してはエンジンの始動を許可し、逆に車両ユーザと認められない第三者に対してはエンジンの始動を禁止する技術が開示されている。尚、こうした技術は、特許文献２に記載されているような、電波をリレーする手口の盗難を防止できるものとして期待されている。
【先行技術文献】
【特許文献】
【０００３】
【特許文献１】特開２００５−２３９０７９号公報（請求項１、請求項４、段落番号０００８〜００１０、００２５）
【特許文献２】特開２００６−１１８８８６号公報（段落番号０００８）
【発明の概要】
【発明が解決しようとする課題】
【０００４】
しかしながら、特許文献１に開示される構成にあって、生体認証として例えば指紋認証を利用して車両ユーザであるか否かを判定する場合、車両ユーザと認められるべき被験者が負傷する等、不測の事態が発生してしまうと、その者が指紋認証を受けても車両ユーザとは認められず、本来許可される筈のエンジン始動等が許可されなくなる虞がある。
【０００５】
本発明は、このような問題点に着目してなされたものであって、その目的は、不測の事態にも柔軟に対処することが可能なセキュリティシステムを提供することにある。
【課題を解決するための手段】
【０００６】
上記の目的を達成するために、請求項１に記載の発明は、ユーザ認証により正規ユーザであると肯定判断された場合に制御対象の作動が許可されるセキュリティシステムにおいて、正規ユーザによって所持され、無線電波を用いた電気的なキー認証に供される電子キーに、前記ユーザ認証の機能を解除するために操作されるユーザ認証解除用操作手段を設けたことをその要旨としている。
【０００７】
同構成によると、何らかの理由により正規ユーザがユーザ認証をパスできないといった不測の事態が発生した場合には、この正規ユーザが所持する電子キーのユーザ認証解除用操作手段を操作することで、ユーザ認証の機能を解除することが可能となり、この場合、ユーザ認証を経ることなく、制御対象の作動が許可される。従って、不測の事態にも柔軟に対処することができる。尚、このようにユーザ認証の機能が解除された場合にあって、一切の認証を経ずに制御対象の作動が許可されるよう構成してもよいが、それではセキュリティの観点であまり相応しくないとも考えられる。そこで、こうした場合、ユーザ認証以外の何らかの認証を経て制御対象の作動が許可されるよう構成することが望ましい。即ち、ユーザ認証の機能が解除された場合、例えば、電子キーによる電気的なキー認証により正規の電子キーが利用されたものと肯定判断された場合に制御対象の作動が許可されるよう構成してもよい。
【０００８】
そして特に、本構成では、正規ユーザによって所持される電子キーにユーザ認証解除用操作手段が設けられ、これの操作なくしてユーザ認証の機能を解除できない。つまり、電波をリレーする手口の盗難に準じて、例えば車両の側から送信される無線電波を電子キーが存在する位置まで中継し、この電子キーから制御対象の作動許可に必要な応答信号を意図的に送信させ、この応答信号を再び車両側まで中継したところで、ユーザ認証の機能は解除されない。要するに、電子キーにおいて、無線電波を用いた電気的なキー認証に関する機能と、ユーザ認証解除用操作手段に関する機能とを互いに分離することで、この電子キーの所持者である正規ユーザの意志によらず、いわば勝手にユーザ認証の機能が解除されてしまうようなことを防止できる。従って、セキュリティ性を向上できる。
【０００９】
請求項２に記載の発明は、請求項１に記載のセキュリティシステムにおいて、ユーザ認証の機能が解除されていないモードである通常モードでは、電気的なキー認証により正規の電子キーが利用されたものと肯定判断され、且つユーザ認証により正規ユーザであると肯定判断され、それらのＡＮＤ条件が成立するか、或いは、ユーザ認証により正規ユーザであると肯定判断され、その単独条件が成立したとき、制御対象の作動が許可される一方、ユーザ認証の機能が解除されているモードであるゲストモードでは、電気的なキー認証により正規の電子キーが利用されたものと肯定判断され、その単独条件が成立したとき、制御対象の作動が許可されることをその要旨としている。
【００１０】
同構成によると、ゲストモードでも、電気的なキー認証によるセキュリティ性を確保することができる。
請求項３に記載の発明は、請求項１又は請求項２に記載のセキュリティシステムにおいて、前記ユーザ認証解除用操作手段は、前記電子キーに備え付けられた既存操作手段であり、この既存操作手段が、本来の使用目的で操作されるときの通常操作とは異なる態様で特殊操作されたとき、当該電子キーは、ユーザ認証の機能が解除されるユーザ認証解除モードへ遷移されることをその要旨としている。
【００１１】
同構成によると、ユーザ認証の機能を解除するために操作されるユーザ認証解除用操作手段として、新たな操作手段を電子キーに追加しなくても、電子キーに元々備え付けられている既存操作手段を特殊操作することで、当該電子キーがユーザ認証解除モードへ遷移され、ユーザ認証の機能を解除することが可能となる。従って、既存操作手段を兼用することで、電子キーの大型化が回避され、持ち運びに便利な小型軽量化された電子キーをそのまま維持できる。
【００１２】
また、既存操作手段が通常操作とは異なる特殊操作された場合に限り、電子キーがユーザ認証解除モードへ遷移され、既存操作手段が単に通常操作されるだけでは、ユーザ認証の機能は解除されない。つまり、電子キーの所持者である正規ユーザの意志なくして、いわば無意識のうちにユーザ認証の機能が解除されてしまう可能性を低減できる。従って、正規ユーザの意志の下でユーザ認証の機能を取捨でき、信頼性を向上できる。
【００１３】
請求項４に記載の発明は、請求項１〜請求項３のいずれか一項に記載のセキュリティシステムにおいて、前記電子キーは、通信相手先である通信装置との間での該電子キーを送信側とする単方向通信、及び通信相手先である通信装置から送信されてくる第１の通信信号に応答して第２の通信信号を送信する該通信装置との間での双方向通信の少なくとも一方の通信が可能であり、同電子キーは、前記ユーザ認証解除用操作手段が操作されたとき、ユーザ認証の機能が解除されるユーザ認証解除モードへ遷移され、前記電子キーが前記ユーザ認証解除モードへ遷移されている状態で前記通信装置との間で該電子キーを送信側とする単方向通信が行われる場合、その単方向通信による該通信装置への送信信号に、当該電子キーがユーザ認証解除モードへ遷移されていることを示すモード状態コードを付加し、前記電子キーが前記ユーザ認証解除モードへ遷移されている状態で該電子キーが前記通信装置から第１の通信信号を受信した場合、当該電子キーがユーザ認証解除モードへ遷移されていることを示すモード状態コードを前記第２の通信信号に付加して送信することをその要旨としている。
【００１４】
同構成によると、電子キーと通信装置との間での通信が可能な領域の外で、当該電子キーのユーザ認証解除用操作手段が操作された場合でも、この電子キーが通信可能領域の内に進入すると、通信装置との間での通信を通じて、当該電子キーがユーザ認証解除モードへ遷移されていることを示す情報が電子キーから通信装置の側に受け渡される。要するに、正規ユーザは、場所を選ばなくとも自身にとって都合の良い場所で、電子キーのユーザ認証解除用操作手段を操作することによって、いわば後は通信態様に任せる形でユーザ認証の機能を解除することができる。従って、まさしく状況に応じて柔軟に対処することができる。
【００１５】
請求項５に記載の発明は、請求項１〜請求項４のいずれか一項に記載のセキュリティシステムにおいて、前記ユーザ認証は、認証を受ける者である被験者の生体情報を生体情報検出手段で検出し、その検出データを正規ユーザの生体情報データである基準データと照合し、両データが一致したとき、被験者が正規ユーザであると判定する生体認証であることをその要旨としている。
【００１６】
同構成によると、正規ユーザが生体認証を受ける部位をケガする等して生体認証をパスできない可能性がある場合に、この正規ユーザが所持する電子キーのユーザ認証解除用操作手段を操作することで、生体認証の機能を解除することが可能となる。また、正規ユーザによる生体認証を求める第三者から身の安全を確保したいような場合にも、正規ユーザ自らによって生体認証の機能を解除することが可能となる。勿論、これらの場合とは異なり、生体認証の機能を引き続き有効にしておきたいのであればこれを解除しなくてもよく、この場合、生体認証に特有のメリットが得られ、例えば電波をリレーする手口の盗難を防止することができる。従って、ユーザリスクを解消でき、また、生体認証に特有のメリットを享受でき、状況に応じて柔軟に対処することができる。
【発明の効果】
【００１７】
本発明は、以上のように構成されているため、次のような効果を奏する。
本発明によれば、不測の事態にも柔軟に対処することができる。
【図面の簡単な説明】
【００１８】
【図１】車両用のセキュリティシステムの構成を示すブロック図。
【図２】車内スマート通信領域を示す説明図。
【発明を実施するための形態】
【００１９】
以下、本発明を具体化した一実施形態について説明する。
図１に示すように、本実施形態の車両には、セキュリティシステム１が適用されている。セキュリティシステム１は、車両ユーザが所持する電子キー２と、車両側に設けられるセキュリティ装置３とを備えるとともに、両者間で双方向通信が可能となっている。尚、前記電子キー２は、その所持態様から一般的に携帯機と称されている。
【００２０】
電子キー２は、無線通信による受信機能及び無線通信による送信機能を有するとともに、受信アンテナ２１、受信回路２２、マイコン２３、送信回路２４、送信アンテナ２５を備えている。
【００２１】
受信アンテナ２１は、セキュリティ装置３から送信されてくるリクエスト信号を受信するための媒体である。受信回路２２は、受信アンテナ２１で受信されたリクエスト信号を復調して受信信号を生成するとともに、その受信信号をマイコン２３に出力する。
【００２２】
マイコン２３は、不揮発性のメモリ２３ａを備えるとともに、そのメモリ２３ａには、当該電子キー２に対して個別に設定されたＩＤコード（電子キー２のＩＤコード）が記憶されている。そして、マイコン２３は、受信回路２２からリクエスト信号に関する受信信号が入力されたとき、リクエスト信号に応答するために、電子キー２のＩＤコードを含む信号（ＩＤコード信号）を生成するとともに、そのＩＤコード信号を送信回路２４に出力する。
【００２３】
送信回路２４は、マイコン２３から入力されたＩＤコード信号を所定周波数（本実施形態では３００ＭＨｚ）の電波に変調する。送信アンテナ２５は、送信回路２４で変調されたＩＤコード信号を送信するための媒体である。
【００２４】
セキュリティ装置３は、無線通信による送信機能及び無線通信による受信機能を有するとともに、送信回路３１、送信アンテナ３２、受信アンテナ３３、受信回路３４、セキュリティ制御装置３５を備えている。尚、本実施形態の車両では、車内通信ネットワークを介して各種制御装置が電気的に接続されている。以下、説明の便宜上、これら各制御装置の総称をセキュリティ制御装置と呼び、これを符号３５で示す。後に詳述するが、このセキュリティ制御装置３５は、無線電波を用いた電気的なキー認証に関するセキュリティ制御を主として行うものである。
【００２５】
送信回路３１は、セキュリティ制御装置３５から入力されるリクエスト信号を所定周波数（本実施形態では１３４ＫＨｚ）の電波に変調する。送信アンテナ３２は、送信回路３１で変調されたリクエスト信号を送信するための媒体である。
【００２６】
ここで、この送信アンテナ３２から送信されるリクエスト信号は、車内の略全域に及んで且つ車外に殆ど及ばないようになっている。尚、図２には、こうしたリクエスト信号の送信領域が車内スマート通信領域Ａ３２として２点鎖線で示されている。そして、この車内スマート通信領域Ａ３２内において、電子キー２とセキュリティ装置３との間での双方向通信が可能となっている。つまり、車内スマート通信領域Ａ３２内にリクエスト信号が送信されている状態で、この車内スマート通信領域Ａ３２内に電子キー２が持ち込まれたとき、その電子キー２でリクエスト信号が受信されて同電子キー２からＩＤコード信号が送信されるようになっている。
【００２７】
図１に戻って、受信アンテナ３３は、リクエスト信号に対する応答信号として電子キー２から送信されてくるＩＤコード信号を受信するための媒体である。受信回路３４は、受信アンテナ３３で受信されたＩＤコード信号を復調して受信信号を生成するとともに、その受信信号をセキュリティ制御装置３５に出力する。
【００２８】
セキュリティ制御装置３５は、不揮発性のメモリ３５ａを備えるとともに、そのメモリ３５ａには、当該セキュリティ装置３が搭載されている車両に適合する電子キー２（＝正規の電子キー２）のＩＤコードと同一のＩＤコード（基準ＩＤコード）が記憶されている。
【００２９】
セキュリティ制御装置３５は、正規の電子キー２の所持者による乗車（車内スマート通信領域Ａ３２に対する進入）を監視するため、ドアが開けられた旨を検出したとき、後にドアが閉められた旨を検出したことを条件として、送信回路３１にリクエスト信号を出力する。つまり、この場合、セキュリティ制御装置３５は、車内スマート通信制御を実行する。その結果、送信アンテナ３２から車内スマート通信領域Ａ３２内にリクエスト信号が送信される。
【００３０】
セキュリティ制御装置３５は、車内スマート通信制御を実行したことに伴って、受信回路３４からＩＤコード信号に関する受信信号が入力されたとき、その受信信号に含まれているＩＤコードと基準ＩＤコードとが一致しているか否かを判断する。つまり、この場合、セキュリティ制御装置３５は、ＩＤコード照合（電気的なキー認証）を実行する。そして、セキュリティ制御装置３５は、このＩＤコード照合により両ＩＤコードが一致したとき、正規の電子キー２が車内スマート通信領域Ａ３２に存在している旨を認識する。その結果、このように正規の電子キー２が利用されたものと肯定判断されたとき、エンジンの始動が許可されるために必要な条件の１つが満たされる。
【００３１】
ところで、本実施形態の車両にあって、エンジンの始動が許可されるためには、電気的なキー認証により正規の電子キー２が利用されたものと肯定判断され、且つユーザ認証の一つである生体認証（本実施形態では指静脈認証）により正規ユーザであると肯定判断され、それらのＡＮＤ条件が成立することが必要となっている。
【００３２】
前記セキュリティ制御装置３５には、パワースイッチ４０が電気的に接続されるとともに、このパワースイッチ４０には、これを操作する者の指に関する生体情報（本実施形態では指静脈パターン）を検出するための指静脈センサ４５が設けられている。尚、パワースイッチ４０は、外部から押圧操作可能なボタンを備えたモーメンタリ式のプッシュスイッチよりなり、車両の電源をオフ位置からアクセサリ位置やイグニッションオン位置、さらにはエンジン始動位置に遷移させるために操作されるものである。そして、これに設けられる指静脈センサ４５は、当該パワースイッチ４０が押圧操作されることに伴って、それを行う者、つまりエンジンの始動が許可されるよう指静脈認証を受ける者（被験者）の指静脈パターンを検出し、この検出指静脈パターンデータをセキュリティ制御装置３５に出力する。
【００３３】
前記メモリ３５ａには、正規ユーザの指静脈パターンデータ（基準指静脈パターンデータ）が記憶され、セキュリティ制御装置３５は、指静脈センサ４５から入力された検出指静脈パターンデータを基準指静脈パターンデータと照合し、両データが一致したとき、被験者が正規ユーザであると判定する。
【００３４】
そして、セキュリティ制御装置３５は、電気的なキー認証により正規の電子キー２が利用されたものと肯定判断し、且つ生体認証により被験者が正規ユーザであると肯定判断し、それらのＡＮＤ条件が成立したとき、ブレーキ操作が行われていることを条件として、エンジンを始動する。
【００３５】
次に、本実施形態の特徴点について説明する。
上記したように、エンジンの始動が許可されるためには、キー認証及び生体認証といった２つの条件が満たされる必要があるところ、何らかの理由により正規ユーザが生体認証をパスできないといった不測の事態が発生しないとも限らず、もし仮に、そうした事態が発生してしまうと、正規ユーザでありながらエンジン始動が許可されなくなる。例えば、正規ユーザが指静脈認証を受ける指を負傷する等すると、その者が指静脈認証を受けても正規ユーザとは認められず、本来許可される筈のエンジン始動が許可されなくなる虞がある。
【００３６】
そこで、本実施形態のセキュリティシステム１では、こうした例のような不測の事態に備えて、正規ユーザ自らの意志で生体認証の機能を選択的に解除できるよう配慮されている。即ち、図１に示すように、正規ユーザが車両キーとして所持する前記電子キー２には、生体認証解除スイッチ２６が備えられ、これを操作することで、当該電子キー２を状況に応じて、生体認証の機能が有効とされる通常モードと、生体認証の機能が解除される生体認証解除モードとに選択的に切り替えることができるようになっている。
【００３７】
尚、本実施形態において生体認証解除スイッチ２６は、電子キー２に新たに追加されるものではなく、電子キー２に元々備え付けられている既存操作手段が兼用され、この既存操作手段が、本来の使用目的で操作されるときの通常操作とは異なる態様で特殊操作されたとき、当該電子キー２が生体認証解除モードへ遷移されるようになっている。即ち、本実施形態では、遠隔操作によりドアを施解錠するために操作されるアンロックスイッチ及びロックスイッチの同時操作が前記特殊操作に相当し、こうした特殊操作がなされたとき、当該電子キー２が生体認証解除モードへ遷移され、生体認証の機能を解除することが可能となっている。ちなみに、電子キー２が生体認証解除モードへ遷移されている状態で、再び前記特殊操作がなされたとき、当該電子キー２が生体認証解除モードから通常モードへ遷移されるようになっている。
【００３８】
ここで、上記したように、本実施形態の車両では、電子キー２とセキュリティ装置３との間において、キー認証に関する双方向通信が行われる。その中で電子キー２のマイコン２３は、セキュリティ装置３からのリクエスト信号に応答してＩＤコード信号を生成する訳であるが、ここに電子キー２が生体認証解除モードへ遷移されている状態でリクエスト信号を受信した場合、当該電子キー２が生体認証解除モードへ遷移されていることを示すモード状態コードをＩＤコード信号に付加する。その一方でマイコン２３は、電子キー２が通常モードへ遷移されている状態でリクエスト信号を受信した場合、当該電子キー２が通常モードへ遷移されていることを示すモード状態コードをＩＤコード信号に付加する。
【００３９】
そして、こうしたＩＤコード信号がセキュリティ装置３の側で受信され、これに関する受信信号が受信回路３４からセキュリティ制御装置３５へ入力されると、同セキュリティ制御装置３５は、既に説明したようにＩＤコード照合を行う訳であるが、さらに、モード状態コードを指標として、電子キー２のモードがいずれのモードであるのか解析する。
【００４０】
そして、セキュリティ制御装置３５は、その解析の結果、電子キー２のモードが通常モードである場合、当該セキュリティ装置３を通常モードへ遷移させる。尚、このセキュリティ装置３の側での通常モードでは、電気的なキー認証により正規の電子キー２が利用されたものと肯定判断され、且つ生体認証により被験者が正規ユーザであると肯定判断され、それらのＡＮＤ条件が成立したとき、エンジンの始動が許可される。従って、セキュリティ装置３の側での通常モードとは、生体認証の機能が解除されていないモードを指す。
【００４１】
その一方でセキュリティ制御装置３５は、受信回路３４から入力されたＩＤコード信号に関する受信信号を解析した結果、電子キー２のモードが生体認証解除モードである場合、当該セキュリティ装置３をゲストモードへ遷移させる。尚、このセキュリティ装置３の側でのゲストモードでは、電気的なキー認証により正規の電子キー２が利用されたものと肯定判断され、その単独条件が成立したとき、エンジンの始動が許可される。従って、セキュリティ装置３の側でのゲストモードとは、生体認証の機能が解除されているモードを指す。
【００４２】
尚、本実施形態において電子キー２の生体認証解除スイッチ２６（アンロックスイッチ及びロックスイッチ）は、ユーザ認証の一つである生体認証の一例として挙げた指静脈認証の機能を解除するために操作されるユーザ認証解除用操作手段、生体認証解除用操作手段、指静脈認証解除用操作手段に相当する。また、指静脈センサ４５は、認証（生体認証の一例である指静脈認証）を受ける者である被験者の生体情報（指静脈パターン）を検出する生体情報検出手段、指静脈パターン検出手段に相当する。さらに、セキュリティ装置３は、電子キー２の通信相手先である通信装置に相当し、電子キー２とセキュリティ装置３との間での双方向通信に供されるリクエスト信号は第１の通信信号に相当し、同じくＩＤコード信号は第２の通信信号に相当する。
【００４３】
以上説明したように、本実施形態によれば、以下の作用効果を奏することができる。
（１）何らかの理由により正規ユーザが生体認証をパスできないといった不測の事態が発生した場合には、この正規ユーザが所持する電子キー２の生体認証解除スイッチ２６を操作することで、生体認証の機能を解除することが可能となり、この場合、生体認証を経ることなく、エンジンの始動が許可される。従って、不測の事態にも柔軟に対処することができる。
【００４４】
（２）正規ユーザによって所持される電子キー２に生体認証解除スイッチ２６が設けられ、これの操作なくして生体認証の機能を解除できない。つまり、電波をリレーする手口の盗難に準じて、車両の側から送信されるリクエスト信号を電子キー２が存在する位置まで中継し、この電子キー２からエンジンの始動許可に必要なＩＤコード信号を意図的に送信させ、このＩＤコード信号を再び車両側まで中継したところで、生体認証の機能は解除されない。要するに、電子キー２において、無線電波を用いた電気的なキー認証に関する機能と、生体認証解除スイッチ２６に関する機能とを互いに分離することで、この電子キー２の所持者である正規ユーザの意志によらず、いわば勝手に生体認証の機能が解除されてしまうようなことを防止できる。従って、セキュリティ性を向上できる。
【００４５】
ちなみに、生体認証の機能が解除されていない状態で、上記のように電子キー２からのＩＤコード信号が中継されたところで、そのＩＤコード信号には、当該電子キー２が通常モードへ遷移されていることを示すモード状態コードが付加されているに過ぎず、エンジンの始動が許可されるためにはキー認証のみならず生体認証をパスする必要がある。ここに、第三者は、電波をリレーする手口によりキー認証についてはパスできる可能性があるものの、生体認証については電波をリレーする手口を試みたところでパスできず、よってセキュリティ性を向上できる、という訳である。
【００４６】
（３）上記（２）記載の作用効果を端的に言えば、誰もが生体認証の機能を解除できる訳ではなく、それをできる者は正規の電子キー２の所持者に限られる。従って、セキュリティ性を向上できる。
【００４７】
（４）生体認証の機能が解除されていないモードであるセキュリティ装置３の側での通常モードでは、電気的なキー認証により正規の電子キー２が利用されたものと肯定判断され、且つ生体認証により被験者が正規ユーザであると肯定判断され、それらのＡＮＤ条件が成立したとき、エンジンの始動が許可される。従って、どちらか単独での認証を経てエンジンの始動が許可される構成との比較において、セキュリティ性を向上できる。
【００４８】
（５）生体認証の機能が解除されているモードであるセキュリティ装置３の側でのゲストモードでは、電気的なキー認証により正規の電子キー２が利用されたものと肯定判断され、その単独条件が成立したとき、エンジンの始動が許可される。従って、一切の認証を経ずにエンジンの始動が許可される構成との比較において、セキュリティ性を向上できる。つまり、ゲストモードでも、電気的なキー認証によるセキュリティ性を確保することができる。また、複数の認証を経てエンジンの始動が許可される構成との比較において、正規ユーザの負担を軽減できる。
【００４９】
（６）生体認証の機能を解除するために操作される生体認証解除スイッチ２６として、新たな操作手段を電子キー２に追加しなくても、電子キー２に元々備え付けられている既存操作手段（アンロックスイッチ及びロックスイッチ）を特殊操作することで、当該電子キー２が生体認証解除モードへ遷移され、生体認証の機能を解除することが可能となる。従って、既存操作手段を兼用することで、電子キー２の大型化が回避され、持ち運びに便利な小型軽量化された電子キー２をそのまま維持できる。
【００５０】
（７）上記（６）記載の作用効果に関連して、既存操作手段が通常操作とは異なる特殊操作された場合に限り、電子キー２が生体認証解除モードへ遷移され、既存操作手段が単に通常操作されるだけでは、生体認証の機能は解除されない。つまり、電子キー２の所持者である正規ユーザの意志なくして、いわば無意識のうちに生体認証の機能が解除されてしまう可能性を低減できる。従って、正規ユーザの意志の下で生体認証の機能を取捨でき、信頼性を向上できる。
【００５１】
（８）電子キー２の側での通常モードから生体認証解除モードへの遷移に必要な操作と、生体認証解除モードから通常モードへの遷移に必要な操作とは、互いに同じであるので、正規ユーザにしてみれば操作に迷いが生じ難く、操作性、ひいては利便性を向上できる。
【００５２】
（９）車内スマート通信領域Ａ３２の外で、電子キー２の生体認証解除スイッチ２６が操作された場合でも、この電子キー２が車内スマート通信領域Ａ３２の内に進入すると、車内スマート通信を通じて、当該電子キー２が生体認証解除モードへ遷移されていることを示す情報が電子キー２からセキュリティ装置３の側に受け渡される。要するに、正規ユーザは、場所を選ばなくとも自身にとって都合の良い場所で、電子キー２の生体認証解除スイッチ２６を操作することによって、いわば後は通信態様に任せる形で生体認証の機能を解除することができる。従って、まさしく状況に応じて柔軟に対処することができる。
【００５３】
（１０）上記（９）記載の作用効果に関連して、車内スマート通信によるＩＤコード信号に、電子キー２が生体認証解除モードへ遷移されていることを示す情報が付加されているので、必要以上に通信回数が増すことがなく、つまりは通信態様が煩雑化することがない。要するに、既存の車内スマート通信を有効活用できる。
【００５４】
（１１）実際に車両に乗り込む等しなくても、車外で電子キー２の生体認証解除スイッチ２６を操作することで生体認証の機能を解除することが可能となる。従って、正規ユーザの身の安全を確保できる。
【００５５】
（１２）正規ユーザが生体認証を受ける部位をケガする等して生体認証をパスできない可能性がある場合に、この正規ユーザが所持する電子キー２の生体認証解除スイッチ２６を操作することで、生体認証の機能を解除することが可能となる。また、正規ユーザによる生体認証を求める第三者から身の安全を確保したいような場合にも、正規ユーザ自らによって生体認証の機能を解除することが可能となる。勿論、これらの場合とは異なり、生体認証の機能を引き続き有効にしておきたいのであればこれを解除しなくてもよく、この場合、生体認証に特有のメリットが得られ、例えば電波をリレーする手口の盗難を防止することができる。従って、ユーザリスクを解消でき、また、生体認証に特有のメリットを享受でき、状況に応じて柔軟に対処することができる。
【００５６】
（１３）生体認証の機能を解除するに際し、時間的な制限が何ら設けられていないので、何かしらの操作後の所定期間内に限り、生体認証の機能を解除することが可能な構成との比較において、自由度が高く、こうした点からも柔軟に対処できる、と言える。
【００５７】
（１４）総じてセキュリティシステム１が生体認証に縛られてしまうことを回避できる。
尚、前記実施形態は、次のように変更して具体化することも可能である。
【００５８】
・前記実施形態による構成とは異なり、生体認証の機能が解除された場合にあって、一切の認証を経ずにエンジンの始動が許可されるよう構成することも、本発明に含まれる。
例えば、セキュリティ装置３の側での通常モードでは、電気的なキー認証により正規の電子キー２が利用されたものと肯定判断され、且つ生体認証により被験者が正規ユーザであると肯定判断され、それらのＡＮＤ条件が成立したとき、エンジンの始動が許可されるよう構成する（前記実施形態による構成と同様）。そして、電子キー２の生体認証解除スイッチ２６が操作されることに伴い、セキュリティ装置３の側がゲストモードへ遷移されたとき、このゲストモードでは、生体認証のみならずキー認証も経ずにエンジンの始動が許可されるよう構成してもよい（前記実施形態による構成とは相違）。
【００５９】
また、これとは別の例として、セキュリティ装置３の側での通常モードでは、生体認証により被験者が正規ユーザであると肯定判断され、その単独条件が成立したとき、エンジンの始動が許可されるよう構成する（前記実施形態による構成とは相違）。そして、電子キー２の生体認証解除スイッチ２６が操作されることに伴い、セキュリティ装置３の側がゲストモードへ遷移されたとき、このゲストモードでは、生体認証を経ずにエンジンの始動が許可されるよう構成してもよい（前記実施形態による構成とは相違）。
【００６０】
ただし、これら２つの例による構成では、セキュリティ装置３の側でのゲストモードにおいて、セキュリティの観点であまり相応しくないとも考えられる。そこで、セキュリティ装置３の側での通常モードにおいてエンジンの始動許可に、上記１つ目の例のようにキー認証が必須な構成であれ、また、上記２つ目の例のようにキー認証が必須でない構成であれ、セキュリティ装置３の側でのゲストモードでは、生体認証以外の何らかの認証を経てエンジンの始動が許可されるよう構成することが望ましい。即ち、生体認証の機能が解除された場合、例えば、電子キー２による電気的なキー認証により正規の電子キー２が利用されたものと肯定判断された場合にエンジンの始動が許可されるよう構成してもよい（この点、前記実施形態による構成と同様）。尚、上記２つ目の例をこのような構成に当て嵌めると、セキュリティ装置３の側でのゲストモードでは、セキュリティ装置３の側での通常モードにおいて必須となっている生体認証の代替手段としてキー認証が利用されていると解釈できる。
【００６１】
尚、上記のようにセキュリティ装置３の側でのゲストモードにおいて、生体認証以外の何らかの認証を経てエンジンの始動が許可されるよう構成するに際し、当該認証は１つに限らず、複数であってもよく、後者のように複数の認証を必要とする構成によれば、セキュリティ性を向上できることは言うまでもない。そして、勿論、セキュリティ装置３の側での通常モードにおいても、エンジンの始動が許可されるために必要な認証の数は１つ或いは複数のいずれであってもよく、認証の数が少なければ正規ユーザの負担を軽減できるし、認証の数を多くすればその分セキュリティ性を向上できる。
【００６２】
・電子キー２に備え付けられた既存操作手段は、アンロックスイッチ及びロックスイッチに限らないことは勿論である。これらの既存操作手段に代えて又は加えて、例えば、暖機運転等の目的で遠隔操作によりエンジンを始動させるためのリモートエンジンスタートスイッチや、遠隔操作によりトランクを開けるためのトランクスイッチ等が既存操作手段として用いられてもよい。そして、これらのうち２つ以上の既存操作手段が同時操作されたとき、当該電子キー２が生体認証解除モードへ遷移されるよう構成されてもよい。尚、同時操作される既存操作手段の数や種類が多い程、正規ユーザの意志なくして、いわば無意識のうちに生体認証解除モードへ遷移されてしまう可能性を低減できる。従って、正規ユーザの意志の下で生体認証の機能を取捨でき、信頼性を向上できる。
【００６３】
・複数の既存操作手段の同時操作に代えて又は加えて、単一の既存操作手段による特殊操作、例えば長押し操作や複数回に亘る操作、つまり操作時間や操作回数等が通常操作時のそれよりも長い或いは多い態様の操作がなされたとき、当該電子キー２が生体認証解除モードへ遷移されるよう構成されてもよい。尚、操作時間や操作回数が長い或いは多い程、正規ユーザの意志なくして、いわば無意識のうちに生体認証解除モードへ遷移されてしまう可能性を低減できる。従って、正規ユーザの意志の下で生体認証の機能を取捨でき、信頼性を向上できる。
【００６４】
・既存操作手段とは別に、生体認証の機能を解除するために操作される生体認証解除用操作手段を電子キー２に新たに追加して設け、これが操作されたとき、当該電子キー２が生体認証解除モードへ遷移されるよう構成されてもよい。このような構成によると、電子キー２に、いわば専用の操作手段が設けられることで、正規ユーザが生体認証の機能を解除しようとする際に操作に迷いが生じ難く、操作性、ひいては利便性を向上できる。
【００６５】
・電子キー２に備え付けられている既存の加速度センサ、或いは電子キー２に追加される新たな加速度センサを用いて、正規ユーザによる特定のモーションが検出されたとき、当該電子キー２が生体認証解除モードへ遷移されるよう構成されてもよい。
【００６６】
・電子キー２の側での通常モードから生体認証解除モードへの遷移に必要な操作と、生体認証解除モードから通常モードへの遷移に必要な操作とは、必ずしも一致していなくてもよく、互いに異なる操作を通じてモード間の遷移がなされてもよい。このように構成すれば、正規ユーザによる確固たる意志の下で生体認証の機能を取捨でき、より一層信頼性を向上できる。
【００６７】
・車内スマート通信領域Ａ３２に代えて又は加えて、電子キー２が車外スマート通信領域やリモートキーレス通信領域の内に進入した場合に、セキュリティ装置３との間での通信を通じて、当該電子キー２が通常モードや生体認証解除モードへ遷移されていることを示す情報が電子キー２からセキュリティ装置３の側に受け渡されるようにしてもよい。
【００６８】
例えば、いわゆるスマートエントリー機能を有する車両用のスマートキーシステムが適用された車両の側から車外スマート通信領域にリクエスト信号が送信され、これが電子キー２で受信されたとき、当該電子キー２が通常モードや生体認証解除モードへ遷移されていることを示す情報をＩＤコード信号に付加して送信するようにしてもよい。
【００６９】
或いは、いわゆるリモートキーレスエントリーシステムが適用された車両周辺のリモートキーレス通信領域の内で、電子キー２のアンロックスイッチが操作されたとき、遠隔操作によるドアロックの解錠を要求するための解錠要求用遠隔操作信号に、当該電子キー２が通常モードや生体認証解除モードへ遷移されていることを示す情報を付加してもよい。
【００７０】
・電子キー２とセキュリティ装置３との間での通信として、前記実施形態のような車内スマート通信、上記別例のような車外スマート通信、同じくリモートキーレス通信といった合計３つの通信の少なくとも１つの通信が可能なセキュリティシステムに本発明を具体化してもよい。
【００７１】
・車内スマート通信或いは車外スマート通信或いはリモートキーレス通信とは別の無線通信又は有線通信を通じて、電子キー２が通常モードや生体認証解除モードへ遷移されていることを示す情報が電子キー２からセキュリティ装置３の側に受け渡されるようにしてもよい。
【００７２】
・電子キー２が生体認証解除モードへ遷移されている場合に限り、ＩＤコード信号にモード状態コードを付加し、電子キー２が通常モードへ遷移されている場合には、ＩＤコード信号にモード状態コードを付加しないよう構成されてもよい。このように構成すれば、電子キー２とセキュリティ装置３との間での通信をいわば必要最小限に留めることができるので、通信速度の向上等が見込める。
【００７３】
・指静脈認証に代えて又は加えて、指紋、声紋、顔面、虹彩、網膜、手のひら静脈等に関する生体認証を採用し、電子キー２の生体認証解除スイッチ２６が操作されたとき、それらの生体認証の機能が解除されるようにしてもよい。
【００７４】
・ユーザ認証は指静脈認証等の生体認証に限らず、暗証番号等の暗証コードを車載入力機器を通じて入力する態様の認証であってもよい。この場合、正規ユーザが暗証コードを忘れてしまうといったような不測の事態には、こうした態様の認証の機能を解除することで、柔軟に対処することができる。
【００７５】
・制御対象の作動はエンジンの始動に限らず、それに代えて又は加えて、ドアロックの施解錠、ステアリングロックやシフトロックやタイヤロックの解除、その他各種車載機器の起動等であってもよい。尚、それに伴って、パワースイッチ４０以外の操作手段、例えばドアアウトサイドハンドル、ステアリングホイール、シフトレバー、各種操作に供されるスイッチ類に指静脈センサ等の生体情報検出手段を設けるようにしてもよい。そして、電子キー２の生体認証解除スイッチ２６のようなユーザ認証解除用操作手段が操作されたとき、それらの生体認証の機能が解除されるようにしてもよいし、暗証コードを車載入力機器を通じて入力する態様の認証であれば、そうした認証の機能が解除されるようにしてもよい。即ち、エンジン始動や走行を制限する等のセキュリティシステムに本発明を具体化してもよい。
【００７６】
・車両用のセキュリティシステムに限らず、建物用のセキュリティシステムに本発明を具体化してもよく、また、１つの電子キーで車両キーと建物キーを兼用する、いわば複合型のセキュリティシステムに本発明を具体化してもよい。尚、建物用のセキュリティシステムに関連して、例えば住宅の玄関や各部屋のドアノブ、並びに照明スイッチ等の操作手段に指静脈センサ等の生体情報検出手段を設けるようにしてもよい。そして、電子キー２の生体認証解除スイッチ２６のようなユーザ認証解除用操作手段が操作されたとき、それらの生体認証の機能が解除されるようにしてもよいし、暗証コードを車載入力機器を通じて入力する態様の認証であれば、そうした認証の機能が解除されるようにしてもよい。
【符号の説明】
【００７７】
１…セキュリティシステム、２…電子キー、３…セキュリティ装置（電子キーの通信相手先である通信装置）、２６…生体認証解除スイッチ（ユーザ認証解除用操作手段）、４５…指静脈センサ（生体情報検出手段）。
【図１】
2011058334.tif 000003
【図２】
2011058334.tif 000004